Podtech/llm-jp-corpus-v4-ja_patent huggingface dataset:
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
方法であって、
アクセス管理システムのコンピューティングシステムが、ユーザによって操作されるコンピューティングデバイスから、前記アクセス管理システムの認証を求める検証要求を受信するステップを含み、前記検証要求は、前記ユーザに関連付けられたユーザ識別情報を含み、前記方法はさらに、
前記コンピューティングシステムが、前記ユーザ識別情報に基づいた前記ユーザに関連付けられた宛先へ、前記ユーザが前記アクセス管理システムを認証するための一時アクセス情報を送信するステップと、
前記コンピューティングシステムが、前記コンピューティングデバイスから、前記一時アクセス情報を含む第１の応答を受信するステップと、
前記第１の応答で受信された前記一時アクセス情報を立証すると、前記コンピューティングシステムが、前記ユーザについての個人情報を前記コンピューティングデバイスへ送信するステップと、
前記コンピューティングデバイスから第２の応答を受信するステップとを含み、前記第２の応答は、前記ユーザによる前記個人情報の確認を示し、前記第２の応答は、前記ユーザのクレデンシャルデータを含み、前記方法はさらに、
前記コンピューティングシステムが、前記コンピューティングデバイスからリソースにアクセスするための前記ユーザの認証を判断するステップを含み、前記認証は、前記第２の応答で受信された前記クレデンシャルデータと前記個人情報の前記確認とに基づいて判断される、方法。
【請求項２】
前記ユーザは前記コンピューティングデバイスから前記リソースへのアクセスを認証されていないと判断すると、前記コンピューティングデバイスへ、前記ユーザのクレデンシャル情報についての要求を送信するステップをさらに含み、
前記コンピューティングデバイスは、クレデンシャル情報についての前記要求に応答して前記検証要求を送信する、請求項１に記載の方法。
【請求項３】
前記宛先は、前記コンピューティングデバイスを含む、請求項１または２に記載の方法。
【請求項４】
前記宛先は、前記ユーザに関連付けられたデバイスを含み、前記デバイスは、前記コンピューティングデバイスとは異なる、請求項１または２に記載の方法。
【請求項５】
前記第１の応答は、前記宛先から受信される、請求項４に記載の方法。
【請求項６】
前記ユーザ識別情報は前記ユーザに関連付けられていると判断するステップと、
前記ユーザ識別情報に基づいて前記宛先を識別するステップとをさらに含む、請求項１〜５のいずれか１項に記載の方法。
【請求項７】
前記一時アクセス情報は期間に関連付けられ、前記一時アクセス情報を立証することは、応答時間が前記期間内にあると判断することを含み、前記応答時間は、前記一時アクセス情報が前記コンピューティングデバイスへ送信された後に前記第１の応答を受信するための時間に基づく、請求項１〜６のいずれか１項に記載の方法。
【請求項８】
前記第１の応答で受信された前記一時アクセス情報を立証すると、前記個人情報を送信する前に前記個人情報を生成するステップをさらに含む、請求項１〜７のいずれか１項に記載の方法。
【請求項９】
前記個人情報は、前記一時アクセス情報が立証された後に判断される前記ユーザについての金融情報を含む、請求項８に記載の方法。
【請求項１０】
アクセス管理システムであって、
１つ以上のプロセッサと、
前記１つ以上のプロセッサと結合され、前記１つ以上のプロセッサによって読取可能なメモリとを含み、
前記メモリは、前記１つ以上のプロセッサによって実行されると、前記１つ以上のプロセッサに複数のステップを行なわせる１組の命令を格納し、前記複数のステップは、
ユーザによって操作されるコンピューティングデバイスから、前記アクセス管理システムの認証を求める検証要求を受信するステップを含み、前記検証要求は、前記ユーザに関連付けられたユーザ識別情報を含み、前記複数のステップはさらに、
前記ユーザ識別情報に基づいた前記ユーザに関連付けられた宛先へ、前記ユーザが前記アクセス管理システムを認証するための一時アクセス情報を送信するステップと、
前記コンピューティングデバイスから、前記一時アクセス情報を含む第１の応答を受信するステップと、
前記第１の応答で受信された前記一時アクセス情報を立証すると、前記ユーザについての個人情報を前記コンピューティングデバイスへ送信するステップと、
前記コンピューティングデバイスから第２の応答を受信するステップとを含み、前記第２の応答は、前記ユーザによる前記個人情報の確認を示し、前記第２の応答は、前記ユーザのクレデンシャルデータを含み、前記複数のステップはさらに、
前記コンピューティングデバイスからリソースにアクセスするための前記ユーザの認証を判断するステップを含み、前記認証は、前記第２の応答で受信された前記クレデンシャルデータと前記個人情報の前記確認とに基づいて判断される、アクセス管理システム。
【請求項１１】
前記１組の命令は、前記１つ以上のプロセッサによって実行されると、前記１つ以上のプロセッサに、
前記ユーザは前記コンピューティングデバイスから前記リソースへのアクセスを認証されていないと判断すると、前記コンピューティングデバイスへ、前記ユーザのクレデンシャル情報についての要求を送信するステップをさらに行なわせ、
前記コンピューティングデバイスは、クレデンシャル情報についての前記要求に応答して前記検証要求を送信する、請求項１０に記載のアクセス管理システム。
【請求項１２】
前記宛先は、前記ユーザに関連付けられたデバイスを含み、前記デバイスは、前記コンピューティングデバイスとは異なる、請求項１０または１１に記載のアクセス管理システム。
【請求項１３】
前記１組の命令は、前記１つ以上のプロセッサによって実行されると、前記１つ以上のプロセッサに、
前記ユーザ識別情報は前記ユーザに関連付けられていると判断するステップと、
前記ユーザ識別情報に基づいて前記宛先を識別するステップとをさらに行なわせる、請求項１０〜１２のいずれか１項に記載のアクセス管理システム。
【請求項１４】
前記一時アクセス情報は期間に関連付けられ、前記一時アクセス情報を立証することは、応答時間が前記期間内にあると判断することを含み、前記応答時間は、前記一時アクセス情報が前記コンピューティングデバイスへ送信された後に前記第１の応答を受信するための時間に基づく、請求項１０〜１３のいずれか１項に記載のアクセス管理システム。
【請求項１５】
前記１組の命令は、前記１つ以上のプロセッサによって実行されると、前記１つ以上のプロセッサに、
前記第１の応答で受信された前記一時アクセス情報を立証すると、前記個人情報を送信する前に前記個人情報を生成するステップをさらに行なわせ、
前記個人情報は、前記一時アクセス情報が立証された後に判断される前記ユーザについての金融情報を含む、請求項１０〜１４のいずれか１項に記載のアクセス管理システム。
【請求項１６】
１組の命令を有するコンピュータ読取可能プログラムであって、前記１組の命令は、１つ以上のプロセッサによって実行されると、前記１つ以上のプロセッサに請求項１〜９のいずれか１項に記載の方法を実施させる、コンピュータ読取可能プログラム。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
電池モジュールであって、
内部及び外部を有するポリマーパッケージングと、
前記ポリマーパッケージングの前記内部に配設される複数の電池セルと、
前記ポリマーパッケージングの前記内部から前記外部に延在し、前記複数の電池セルの端子と電気的に接触する前記電池モジュールの端子アセンブリであって、前記端子アセンブリは、ブスバーに接続された端子ポスト及び、前記ポリマーパッケージングのオーバーモールド部に固定される接合面を備え、前記接合面は前記端子アセンブリの前記接合面を前記ポリマーパッケージングの前記オーバーモールド部に気密封止するマイクロ表面粗さ(microsurface roughness)を有し、前記マイクロ表面粗さは、前記ポリマーパッケージングの前記オーバーモールド部への前記端子アセンブリの前記接合面の前記気密封止を容易にするミクロンスケールの特徴、サブミクロンスケールの特徴、又はそれらの組み合わせを備え、前記ブスバーが、マイクロ表面粗さを備える、端子アセンブリと、
を備える、
電池モジュール。
【請求項２】
前記端子アセンブリは、アルミニウム、ニッケル、又は銅、若しくはそれらの組み合わせを備える、請求項１に記載の電池モジュール。
【請求項３】
前記ポリマーパッケージングはポリプロピレンから本質的になる、請求項１に記載の電池モジュール。
【請求項４】
前記接合面を含む前記端子アセンブリの表面全体は前記マイクロ表面粗さを含む、請求項１に記載の電池モジュール。
【請求項５】
電池モジュールであって、
ポリマーパッケージングと、
前記ポリマーパッケージング内に配設される複数の電池セルと、
前記複数の電池セルに電気的に結合される端子アセンブリの組であって、前記端子アセンブリの組の各々は、それぞれのブスバーを通して延在し、それぞれのブスバーに固定される、それぞれの端子ポストを備え、前記端子アセンブリのブスバーは、前記ポリマーパッケージングのオーバーモールド部に固定される接合面を備え、前記端子アセンブリの前記接合面は前記端子アセンブリの前記接合面を前記ポリマーパッケージングの前記オーバーモールド部に気密封止するマイクロ表面粗さを備え、それぞれの端子ポストの各々は、前記ポリマーパッケージングの頂面から延在する、それぞれのねじ山部分を備える、端子アセンブリの組と、
を備える、
電池モジュール。
【請求項６】
前記電池モジュールは、前記ポリマーパッケージングの底面に結合され、且つ、前記複数の電池セルに熱的に結合されるコールドプレートを備え、前記コールドプレートは前記ポリマーパッケージングの第２の部分によってオーバーモールドされる接合面を含み、前記コールドプレートの前記接合面は、前記コールドプレートの前記接合面が前記ポリマーパッケージングの前記オーバーモールド部に気密封止することを可能にするマイクロ表面粗さを備える、請求項５に記載の電池モジュール。
【請求項７】
前記ポリマーパッケージングの前記オーバーモールド部は、前記ポリマーパッケージングの残りに接合される別体のポリマーインサートである、請求項５に記載の電池モジュール。
【請求項８】
前記電池モジュールはｘＥＶに電力を供給するよう構成される、請求項５に記載の電池モジュール。
【請求項９】
それぞれのブスバーの各々の一部だけが、マイクロ表面粗さを備える、請求項５に記載の電池モジュール。
【請求項１０】
それぞれのブスバーの各々の表面全体が、マイクロ表面粗さを備える、請求項５に記載の電池モジュール。
【請求項１１】
前記端子アセンブリの前記ブスバーのみが、マイクロ表面粗さを備える、請求項１に記載の電池モジュール。
【請求項１２】
前記端子ポストの表面全体、及び、前記端子アセンブリのブスバーが、マイクロ表面粗さを備える、請求項１に記載の電池モジュール。
【請求項１３】
前記ポリマーパッケージングの前記オーバーモールド部が、前記ポリマーパッケージングの残りにインサート接合される別体のポリマー片である、請求項１に記載の電池モジュール。
【請求項１４】
前記端子アセンブリの前記表面の一部が、空気への暴露の期間の後にマイクロ表面粗さを失うように構成される、請求項１２に記載の電池モジュール。
【請求項１５】
前記マイクロ表面粗さが、サブミクロンスケールの特徴を備える、請求項１に記載の電池モジュール。
【請求項１６】
前記マイクロ表面粗さが、ナノスケールの特徴を備える、請求項１に記載の電池モジュール。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
導電性組成物であって、乾燥重量を基にして
５〜３０％の銀被覆ガラスフレーク、ここで前記銀被覆ガラスフレークは５μｍ〜７５μｍの範囲の粒径を有しかつ前記銀被覆ガラスフレークの重量を基にして１５〜４９重量％の範囲の銀含量を有する；
５〜３０％のＡｇＣｌ；及び
５〜３０％のポリマー性バインダ；
を含み、
Ａｇ／ＡｇＣｌの表面積比が１：２〜８：１の範囲である、前記の導電性組成物。
【請求項２】
０．５〜２５重量％のＡｇ粒子をさらに含む、請求項１に記載の導電性組成物。
【請求項３】
前記Ａｇ粒子がＡｇフレークを含み、Ａｇフレーク含量が５〜２０重量％の範囲内である、請求項２に記載の導電性組成物。
【請求項４】
前記Ａｇフレーク粒子が５ミクロン〜４５ミクロンの平均粒径を有する、請求項３に記載の導電性組成物。
【請求項５】
前記ＡｇＣｌが０．１ミクロン〜１５ミクロンの範囲の平均粒径を有する、請求項１に記載の導電性組成物。
【請求項６】
前記粒子及び前記バインダが１０〜９０重量％の有機溶媒中に分散されている、請求項１に記載の導電性組成物。
【請求項７】
前記銀被覆ガラスフレークが、前記銀被覆ガラスフレークの重量を基にして１０重量％〜４５重量％の銀を含む、請求項１に記載の導電性組成物。
【請求項８】
前記銀被覆ガラスフレークの平均粒径が１μｍ〜２０μｍの範囲内であり、前記銀被覆ガラスフレークが３５重量％〜４５重量％の銀及び５５〜６５重量％のガラスを含む、請求項７に記載の導電性組成物。
【請求項９】
前記銀被覆ガラスフレークの平均粒径が１０〜１００μｍの範囲内であり、前記銀被覆粒子が１０重量％〜３５重量％の銀及び６５〜９０重量％のガラスを含む、請求項７に記載の導電性組成物。
【請求項１０】
生物医学電極であって、
導電性表面を含む導体；
前記導体と電気的に接触している導電性インク層、前記インク層は請求項１に記載の導電性組成物を含む；及び
前記導電性インク層と電気的に接触している導電性接着剤
を含む生物医学電極。
【請求項１１】
前記導電性表面が黒鉛入りポリマーを含む、請求項１０に記載の生物医学電極。
【請求項１２】
第一の主要面を含む第一の側と第二の主要面を含む第二の側を有する非導電性バッキング層をさらに含み、前記導電性表面は前記非導電性バッキングの第二の主要面と関連付けられており、そして前記導電性接着剤は前記導電性表面と関連付けられている、請求項１０に記載の生物医学電極。
【請求項１３】
前記導電性接着剤が感圧接着剤を含む、請求項１０に記載の生物医学電極。
【請求項１４】
前記導電性接着剤がヒドロゲルを含む、請求項１０に記載の生物医学電極。
【請求項１５】
前記非導電性バッキングがさらに、タブ部分と導電性界面部分を含み、前記第一の主要面と前記第二の主要面は前記タブ部分と前記導電性界面部分によって共有されており、前記導電性接着剤の少なくとも一部は、前記導電性界面部分上の前記第二の主要面を覆って配置されており、前記導電性接着剤は、前記導電性界面部分上の前記導電性表面と関連付けられている、請求項１０に記載の生物医学電極。
【請求項１６】
前記導電性接着剤を覆って配置された剥離ライナーをさらに含む、請求項１０に記載の生物医学電極。
【請求項１７】
前記導電性組成物がさらにＡｇフレークを含み、Ａｇフレーク含量はインク層の０．５〜２５重量％の範囲内である、請求項１０に記載の生物医学電極。
【請求項１８】
前記導電性組成物の前記銀被覆ガラスフレークが、前記銀被覆ガラスフレークの全重量を基にして１０重量％〜４５重量％の銀を含む、請求項１０に記載の生物医学電極。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
生検組織標本（１０）の組織領域の複数の画像を表示するための画像処理方法であって、
ａ）前記組織領域の近隣組織スライス（１、２、３、４）から複数の画像（２３７、５、６、７）を取得するステップであって、前記組織スライスが、生物学的特徴の識別のために染料によってマークされ、前記組織スライスの内１つが、マルチチャネル画像（５）の取得のために複数の染料によってマークされる、ステップと、
ｂ）前記マルチチャネル画像（５）を分離して１組の分離画像（５．１、５．２、５．３）を求めるステップと、
ｃ）前記複数の画像に関して画像レジストレーション・アルゴリズムを実行するステップであって、前記画像レジストレーション・アルゴリズムは、前記マルチチャネル画像（５）を前記画像レジストレーション・アルゴリズムのための基準画像として用い、前記基準画像に対する前記複数の画像の各々のマッピングを行うことによって、実行される、ステップと、
ｄ）前記画像レジストレーションにしたがって、前記画像を位置合わせするステップと、
ｅ）前記位置合わせした画像（２３７、６、７）と前記分離画像（５．１、５．２、５．３）をディスプレイ（８）上において二次元平面に同時に表示するステップと、
ｆ）グラフィカル・ユーザ・インターフェースを介して、前記表示された画像（２３７；５．１）の１つに関して画像変換コマンドを受けるステップと、
ｇ）それぞれの前記マッピングを用いて、前記表示された画像の全てに対して前記画像変換コマンドを同時に実行するステップと、
を含む、画像処理方法。
【請求項２】
請求項１に記載の方法において、前記ディスプレイがタッチ感応型であり、前記グラフィカル・ユーザ・インターフェースが、前記画像変換コマンドの入力のためのユーザのジェスチャのジェスチャ認識を実行するように構成される、方法。
【請求項３】
請求項２に記載の方法において、前記画像変換が拡大ズームまたは縮小ズームであり、前記ユーザのジェスチャが、２本の指（１４、１５）の前記表示画像の１つ（５．１）の上に置くことによって、前記２本の指が置かれた前記画像（５．１）および全ての他の表示画像（２３７、５．２、５．３、６、７）に対して前記画像変換が同期して実行されるように、実行されるピンチ・ジェスチャである、方法。
【請求項４】
請求項１から３のいずれか１項に記載の方法において、前記取得した複数の画像をサーバ・コンピュータ上に格納し、更に、電気通信ネットワークを通じて前記取得画像を前記サーバ・コンピュータから移動体バッテリ給電型電気通信デバイスに、前記電気通信デバイスのディスプレイ上に前記画像を表示するために、送信するステップを含む、方法。
【請求項５】
請求項４に記載の方法において、ステップｃ）が前記サーバ・コンピュータによって実行され、更に、前記複数の画像の各々の前記基準画像に対するマッピングを、前記サーバ・コンピュータから前記電気通信デバイスに前記ネットワークを通じて送信するステップを含む、方法。
【請求項６】
請求項１から５のいずれか１項に記載の方法において、前記画像（２３１）の１つが染料およびそのそれぞれの対比染料によって染色され、前記画像（２３１）の前記１つが分離されて分離画像（２３２、２３８）を求め、更に、
−前記分離画像の少なくとも１つ（２３２）を空間ロー・パス・フィルタリングするステップ（２３４）と、
−前記空間ロー・パス・フィルタリングした分離画像の前記少なくとも１つ（２３４、２３５）に極大値フィルタリングするステップ（２３６）と、
−前記空間ロー・パス・フィルタリングした分離画像（２３６）の少なくとも１つに閾値を設定して（２３７）、少なくとも１組の近隣画素（２３９．１；２３９．４）を識別するステップと、
−前記１組の近隣画素（２３９．１；２３９．４）によって与えられる画像位置から、前記マルチチャネル画像（２３１）の画像部分を抽出することによって視野（２４０．１、２４０．２；Ａ、Ｂ）を画定するステップであって、前記視野が所定のサイズおよび形状を有する、ステップと、
−前記分離画像の前記少なくとも１つにグラフィック・シンボルを表示するステップであって、前記グラフィック・シンボルが前記視野を表し、前記画像変換コマンドが、前記ユーザ・インターフェースを介して前記グラフィック・シンボルを選択することによって、前記視野に関して受け取られる、ステップと、
を含む、方法。
【請求項７】
請求項６に記載の方法であって、更に、
・組織領域マスク（２３３）を求めるための組織領域の識別のために、前記分離画像の他の１つ（２３８）をセグメント化するステップと、
・前記マルチチャネル画像または前記分離画像の前記少なくとも１つに前記組織マスクでマスキングするステップと、
を含む、方法。
【請求項８】
請求項６または７に記載の方法において、前記グラフィック・シンボルの選択に応答して、前記表示画像の全てにおいて同期して前記視野のズーム変換を実行し、前記ズーム変換が、前記分離画像の前記少なくとも１つ（２３７）における前記視野の拡大を行わせ、更に前記画像レジストレーションによって前記視野と位置合わせされた前記他の画像（５．１、５．２、５．３、６、７）のそれぞれの画像部分（９、１０、１１、１２、１３）の拡大を行わせる、方法。
【請求項９】
請求項８に記載の方法において、前記グラフィック・シンボルの選択が、指（１４）を前記グラフィック・シンボル上に置くことによって実行される、方法。
【請求項１０】
請求項１から９のいずれか１項に記載の方法を実行するように構成された画像処理システム。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
オブジェクトのデザインファイルを変更する、積層造形用システムであって、
記憶装置およびプロセッサを有する１つ以上のコンピュータからなるコンピュータ制御システムを備え、
上記コンピュータ制御システムは、
オブジェクトの１つ以上の面が、閾値角度を下回る面角度を有しているかどうかを判定することにより、上記オブジェクトの１つ以上の面が自立する面であるかどうかを判定し、上記面角度は、上記面の平面からの法線と、上記オブジェクトが造形される造形面からの法線との間の角度として算出され、
上記１つ以上の面のうちの第１の面が上記閾値角度を下回る面角度を有し、上記１つ以上の面のうちの第２の面が上記閾値角度以上の面角度を有し、上記第１の面と上記第２の面との間にある第１のエッジを含む１つ以上のエッジを追加し、
上記デザインファイルにおいて、上記１つ以上のエッジに沿って、１つ以上の追加の面を生成し、上記一つ以上の追加の面を自立させることにより、上記オブジェクトのデザインを自立するように変更されることを特徴とするシステム。
【請求項２】
上記コンピュータ制御システムが、上記デザインファイルにおいて、さらに、最低肉厚閾値に基づいて上記オブジェクトの１つ以上の部分の肉厚を変更するように構成されていることを特徴とする、請求項１に記載のシステム。
【請求項３】
上記第１のエッジの指定には、基準と上記第１の面の位置とに基づいて上記第２の面を選択することが含まれることを特徴とする、請求項１に記載のシステム。
【請求項４】
上記基準には、上記第１のエッジに沿って作成される上記面が上記オブジェクトに追加する体積の最小化が含まれることを特徴とする、請求項３に記載のシステム。
【請求項５】
上記１つ以上の追加の面が、マーチングキューブアルゴリズムを用いて生成されることを特徴とする、請求項１に記載のシステム。
【請求項６】
上記コンピュータ制御システムが、さらに、上記第１のエッジが上記オブジェクトに収まるかどうかを判定し、上記第１のエッジが上記オブジェクトに収まらない場合、上記第１のエッジを除去するように構成されていることを特徴とする請求項１に記載のシステム。
【請求項７】
上記コンピュータ制御システムが、さらに、上記第１のエッジが別のエッジの閾値距離内に存在しているかどうかを判定し、上記第１のエッジが上記別のエッジの上記閾値距離内に存在していない場合、上記第１のエッジを除去するように構成されていることを特徴とする請求項１に記載のシステム。
【請求項８】
上記コンピュータ制御システムが、さらに、上記第１のエッジが複数の隣接するエッジと反対の方向を向いているかどうかを判定し、上記第１のエッジが上記複数の隣接するエッジと反対の方向を向いている場合、上記第１のエッジが上記複数の隣接するエッジと同じ方向を向くように変えるように構成されていることを特徴とする請求項１に記載のシステム。
【請求項９】
積層造形において、オブジェクトのデザインを自立するように変更する方法であって、  前記方法は、
デザインファイルを受信し、該受信したデザインファイルをコンピュータの記憶装置に保存する工程と、
前記デザインファイルの面が、閾値角度を下回る面角度を有していることを判定することにより、自立しないデザインファイルの面を特定する工程であって、上記面角度は、上記面の平面からの法線と、上記オブジェクトが造形される造形面からの法線との間の角度として算出される工程と、
１つ以上の面のうちの第１の面が上記閾値角度を下回る面角度を有し、上記オブジェクトの第２の面が上記閾値角度以上の面角度を有し、上記第１の面と上記第２の面との間にある第１のエッジを含む１つ以上のエッジを追加する工程と、
上記デザインファイルにおいて、上記１つ以上の追加されたエッジに沿って、１つ以上の追加の面を生成する工程であって、上記一つ以上の追加の面を自立させることにより、上記オブジェクトのデザインを自立するように変更される工程と、
上記変更されたデザインファイルを、上記コンピュータの記憶装置に保存する工程とを含むことを特徴とする方法。
【請求項１０】
上記保存されたデザインファイルにおける、自立しないフィーチャを特定する工程と、  上記特定したフィーチャを、予め規定された自立するフィーチャで置き換えることにより、上記デザインファイルを変更する工程と、を更に含むことを特徴とする、請求項９に記載の方法。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
コンピュータによって実行される方法であって、
イベントストリームの一部として受信される一連のイベントのうちの第１のイベントを判断するステップと、
前記第１のイベントのタイムスタンプを有するイベントカウンタの値を初期化するステップと、
前記イベントストリームのさらに他のイベントを処理するステップと、
前記イベントストリームのフィルタリングされたイベントを識別するステップと、
前記フィルタリングされたイベントのためのスキップビートを生成するステップと、
前記スキップビートを前記イベントストリームに挿入するステップと、
前記イベントストリームの後続のイベントを受信するステップと、
前記イベントストリームの順序が狂ったイベントを識別するステップと、
前記イベントストリームにおける次のイベントが実際のイベントであるかスキップビートであるかに関係なく、前記後続のイベントの各々に関連付けられた前記タイムスタンプの順序で後続のイベントを処理するステップとを備える、方法。
【請求項２】
前記第１のイベントは、
タイマを開始すること、
前記タイマが時間切れになるまで前記一連のイベントのうちの一組のイベントを受信すること、
前記一組のイベントを時系列順に再配列すること、および
前記第１のイベントを、最新のタイムスタンプを有する前記再配列された組のイベントとして識別すること、によって判断される、請求項１に記載の方法。
【請求項３】
前記さらに他のイベントは、前記タイマが時間切れになる前にバッチ処理される、請求項２に記載の方法。
【請求項４】
前記フィルタリングされたイベントは、上流の段階によってフィルタリングされて除去される、請求項１〜３のいずれか１項に記載の方法。
【請求項５】
前記実際のイベントは、前記イベントストリームに対応するイベントデータを備える、請求項１〜４のいずれか１項に記載の方法。
【請求項６】
プログラムコードを格納するコンピュータ読取可能プログラムであって、前記プログラムコードは、コンピューティングシステムのプロセッサによって実行されたときに、前記プロセッサに動作を実行させ、前記動作は、
一連のイベントのうちの第１のイベントを判断することと、
前記第１のイベントのタイムスタンプを有するイベントカウンタの値を初期化することと、
さらに他のイベントを処理することと、
フィルタリングされたイベントを識別することと、
前記フィルタリングされたイベントのためのスキップビートを生成することと、
後続のイベントを受信することと、
順序が狂ったイベントを識別することと、
イベントストリームにおける次のイベントが実際のイベントであるかスキップビートであるかに関係なく、前記後続のイベントの各々に関連付けられた前記タイムスタンプの順序で後続のイベントを処理することとを備える、コンピュータ読取可能プログラム。
【請求項７】
前記第１のイベントは、イベントストリームの一部として受信される、請求項６に記載のコンピュータ読取可能プログラム。
【請求項８】
前記さらに他のイベントまたは前記フィルタリングされたイベントのうちの少なくとも１つは、前記イベントストリームの一部として受信される、請求項７に記載のコンピュータ読取可能プログラム。
【請求項９】
前記動作は、前記スキップビートを前記イベントストリームに挿入することをさらに備える、請求項７または８に記載のコンピュータ読取可能プログラム。
【請求項１０】
前記順序が狂ったイベントは廃棄される、請求項６〜９のいずれか１項に記載のコンピュータ読取可能プログラム。
【請求項１１】
システムであって、
コンピュータによって実行可能な命令を格納するように構成されたメモリと、
前記メモリにアクセスして、前記コンピュータによって実行可能な命令を実行するように構成されたプロセッサとを備え、前記コンピュータによって実行可能な命令は、少なくとも、
一連のイベントのうちの第１のイベントを判断する命令と、
前記第１のイベントのタイムスタンプを有するイベントカウンタの値を初期化する命令と、
さらに他のイベントを処理する命令と、
フィルタリングされたイベントを識別する命令と、
前記フィルタリングされたイベントのためのスキップビートを生成する命令と、
後続のイベントを受信する命令と、
順序が狂ったイベントを識別する命令と、
イベントストリームにおける次のイベントが実際のイベントであるかスキップビートであるかに関係なく、前記後続のイベントの各々に関連付けられた前記タイムスタンプの順序で後続のイベントを処理する命令とを備える、システム。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
機械学習モデルのためのクラス間のトレーニングデータの平衡を変更する方法であって、
最も少数のメンバーをもつクラスの例の数と現在のクラスの例の数との比からファクタを決定することと、
前記現在のクラスで前記機械学習モデルをトレーニングする間、前記決定されたファクタに基づいて、前記現在のクラスに関連する、バックプロパゲーションプロセスの勾配を変更することとを備える、方法。
【請求項２】
前記決定されたファクタに基づいて前記変更することが、前記決定されたファクタで前記勾配をスケーリングすることを備える、請求項１に記載の方法。
【請求項３】
前記変更することが、前記最も少数のメンバーをもつ前記クラスの前記例のサンプリングに少なくとも部分的に基づいて前記勾配を選択的に適用することを備え、サンプリング確率は、前記決定されたファクタに基づいて決定される、請求項１に記載の方法。
【請求項４】
前記最も少数のメンバーをもつ前記クラスの前記サンプリングが、各トレーニングエポックから固定数の例を選択することによって行われる、請求項３に記載の方法。
【請求項５】
前記サンプリングが、トレーニングエポック中の例の交換なしに行われる、請求項３に記載の方法。
【請求項６】
機械学習モデルのためのクラス間のトレーニングデータの平衡を変更するための装置であって、
最も少数のメンバーをもつクラスの例の数と現在のクラスの例の数との比からファクタを決定するための手段と、
前記現在のクラスで前記機械学習モデルをトレーニングする間、前記決定されたファクタに基づいて、前記現在のクラスに関連する、バックプロパゲーションプロセスの勾配を変更するための手段とを備える、装置。
【請求項７】
前記変更手段が備え、前記決定されたファクタに基づいて前記変更するための手段が、前記決定されたファクタで前記勾配をスケーリングするための手段を備える、請求項６に記載の装置。
【請求項８】
前記変更手段が、前記最も少数のメンバーをもつ前記クラスの前記例のサンプリングに少なくとも部分的に基づいて前記勾配を選択的に適用するための手段を備え、サンプリング確率は、前記決定されたファクタに基づいて決定される、請求項６に記載の装置。
【請求項９】
前記クラスの前記サンプリングが、各トレーニングエポックから固定数の例を選択することによって行われる、請求項８に記載の装置。
【請求項１０】
前記サンプリングが、トレーニングエポック中の例の交換なしに行われる、請求項８に記載の装置。
【請求項１１】
メモリをさらに備え、
前記決定するための手段および前記変更するための手段が、前記メモリに結合された少なくとも１つのプロセッサを備える、請求項６に記載の装置。
【請求項１２】
機械学習モデルのためのクラス間のトレーニングデータの平衡を変更するための非一時的コンピュータ可読媒体であって、前記非一時的コンピュータ可読媒体がそれに記録されたプログラムコードを有し、前記プログラムコードが、実行されると請求項１〜５のいずれか一項に記載の方法を実施する、非一時的コンピュータ可読媒体。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
少なくとも２つの端部を有する光ガイドであって、前記光ガイドの前記端部のうちの一方にある第１の基面と、前記光ガイドの別の端部にある第２の基面との間で軸線方向に延びた、光ガイドを備え、前記光ガイドは、複数のセグメントを含み、各セグメントが前記光ガイドのセクションを形成し、前記セグメントのそれぞれは、前記光ガイドに光をカップルインするために前記光ガイドの側面に配置された第１の光インカップル面を含み、前記セグメントのそれぞれは、自身に入力された光の少なくとも一部を選択された波長範囲を有する光に変換するように構成されており、前記第１の基面と前記第２の基面は、前記セグメントの異なるセグメントに配置され、前記第１の基面の少なくとも一部分は、前記光ガイドに光をカップルインするための第２の光インカップル面を含み、前記第２の基面の少なくとも一部分は、前記光ガイドから光をカップルアウトするための光アウトカップル面を含む、照明デバイスであって、
前記照明デバイスが、
第１の波長範囲の光を発するように構成された少なくとも１つの第１の発光要素であって、前記少なくとも１つの第１の発光要素により発せられた光が前記第２の光インカップル面を介して前記光ガイドにカップルインされるように、前記第２の光インカップル面に光学的にカップルされた、少なくとも１つの第１の発光要素を備え、前記少なくとも１つの第１の発光要素は、前記選択された波長範囲のうちの少なくとも１つの範囲内の波長を有する入射光の少なくとも一部を反射して前記光ガイドに戻すように構成されており、
前記光ガイドが光ルミネセンス材料を含み、前記少なくとも１つの第１の発光要素は、前記光ルミネセンス材料が吸収できない波長を有する光を発するように構成されている、
照明デバイス。
【請求項２】
少なくとも１つの光学フィルタを更に備え、前記少なくとも１つの第１の発光要素は、前記少なくとも１つの光学フィルタを介して前記第２の光インカップル面に光学的にカップルされ、前記少なくとも１つの光学フィルタは、前記少なくとも１つの第１の発光要素により発せられた光を受けるように構成されており、前記少なくとも１つの光学フィルタは、前記第１の波長範囲内の波長を有する入射光を前記光学フィルタに透過させ、前記選択された波長範囲のうちの少なくとも１つの範囲内の波長を有する入射光の少なくとも一部を反射して前記光ガイドに戻すように構成されている、請求項１に記載の照明デバイス。
【請求項３】
少なくとも１つのセグメントが、自身に入力された光の少なくとも一部を緑色光に変換するように構成されており、少なくとも１つの他のセグメントが、自身に入力された光の少なくとも一部を青色光に変換するように構成されている、請求項１又は２に記載の照明デバイス。
【請求項４】
前記第１の基面を含む前記セグメントは、前記セグメントに入力された光の少なくとも一部を緑色光に変換するように構成されており、前記第２の基面を含む前記セグメントは、前記セグメントに入力された光の少なくとも一部を青色光に変換するように構成されている、請求項３に記載の照明デバイス。
【請求項５】
前記少なくとも１つの第１の発光要素は、赤色光を発するように構成されている、請求項１乃至４の何れか一項に記載の照明デバイス。
【請求項６】
前記光ガイドの各セグメントのために、前記セグメントの前記第１の光インカップル面に第２の波長範囲の光を発するように構成された少なくとも１つの第２の発光要素を更に備える、請求項１乃至５の何れか一項に記載の照明デバイス。
【請求項７】
前記少なくとも１つの第１の発光要素は、赤色光を発するように構成されており、前記照明デバイスは、前記光ガイドの各セグメントのために、前記セグメントの前記第１の光インカップル面に第２の波長範囲の光を発するように構成された少なくとも１つの第２の発光要素を更に備え、前記第１の基面を含む前記セグメントのための前記少なくとも１つの第２の発光要素は、青色光を発するように構成されており、前記第２の基面を含む前記セグメントのための前記少なくとも１つの第２の発光要素は、紫外線を発するように構成されている、請求項４に記載の照明デバイス。
【請求項８】
前記少なくとも１つの光学フィルタは、少なくとも１つのダイクロイックフィルタ及び／又は少なくとも１つのダイクロイックミラーを含む、請求項２又は請求項２に従属する請求項３乃至７の何れか一項に記載の照明デバイス。
【請求項９】
前記少なくとも１つの第１の発光要素は、
前記第１の波長範囲の光を発するように構成された少なくとも１つの光源と、
前記少なくとも１つの光源により発せられた光を受け、前記受けた光を成形し、前記成形した光を発するように構成された少なくとも１つの第１の光学要素であって、前記少なくとも１つの第１の光学要素は、前記少なくとも１つの第１の光学要素により発せられた光が前記第２の光インカップル面を介して前記光ガイドにカップルインされるように、前記第２の光インカップル面に光学的にカップルされた、少なくとも１つの第１の光学要素とを含み、
前記少なくとも１つの第１の光学要素は、前記少なくとも１つの光源により発せられた前記光の光線と比べて、前記少なくとも１つの第１の光学要素により発せられた前記光の光線の角度分布が、前記セグメントにより変換された前記光ガイド内の前記光の光線の角度分布に対応するように又は対応するものに近付くように、前記少なくとも１つの第１の光学要素により発せられた前記光の前記光線の前記角度分布を変更するように、前記受けた光を成形するように構成されている、請求項１乃至８の何れか一項に記載の照明デバイス。
【請求項１０】
前記少なくとも１つの第１の発光要素は、複数の光源を含み、前記少なくとも１つの第１の光学要素は、前記複数の光源から受けた前記光を、前記受けた光を成形する前に混合するように更に構成されている、請求項９に記載の照明デバイス。
【請求項１１】
前記光ガイドからアウトカップルされた光を前記光学要素にインカップルするために前記光ガイドの前記光アウトカップル面に光学的にカップルされた光インカップル面を含む第２の光学要素を更に備え、前記第２の光学要素は、光を成形するように構成され、前記成形した光を前記第２の光学要素の光アウトカップル面からアウトカップルするように構成されている、請求項１乃至１０の何れか一項に記載の照明デバイス。
【請求項１２】
前記第２の光学要素は、少なくとも１つのコリメータ、少なくとも１つの集光要素、少なくとも１つのレンズ、少なくとも１つの反射器、又はそれらの任意の組合せを含む、請求項１１に記載の照明デバイス。
【請求項１３】
請求項１乃至１２の何れか一項に記載の照明デバイスを備える、照明器具。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
成形アセンブリであって、
射出される原材料を受け入れるための入口と、
前記入口を介して受け入れられた前記原材料を集めて処理するためのバレルと、
前記バレル内の前記原材料と係合するためのスクリューと、
前記原材料を液状形態へと粉砕するために前記スクリューを第１の軸線に対して回転させるよう構成された第１の駆動ユニットと
を具備し、
前記成形アセンブリは、さらに、前記バレル内の圧力に応じて、前記バレル内および前記バレル外へ、前記回転の方向に対して本質的に垂直な方向に前記スクリューを変位させるよう構成された第２の駆動ユニットを備え、
前記スクリューが前記バレル内に回転可能に配置され、かつアキュムレーターチャンバー内に部分的に配置される、成形アセンブリ。
【請求項２】
前記成形アセンブリは第２の軸線の周りに回転可能であり、前記第２の軸線は前記第１の軸線と略平行である、請求項１に記載の成形アセンブリ。
【請求項３】
前記バレルから溶融した原材料を受け取り、それを射出出口へと輸送するよう構成された少なくとも一つの導管をさらに備える、請求項１または請求項２に記載の成形アセンブリ。
【請求項４】
前記少なくとも一つの導管が加熱される、請求項３に記載の成形アセンブリ。
【請求項５】
前記バレル内で粉砕された前記原材料を加熱するよう構成された第１の加熱ユニットをさらに備える、請求項１ないし請求項４のいずれか１項に記載の成形アセンブリ。
【請求項６】
前記第１の駆動ユニットはサーボモーターである、請求項１ないし請求項５のいずれか１項に記載の成形アセンブリ。
【請求項７】
前記第２の駆動ユニットは、空気入口および空気出口と、スプリング付勢ピストンとを備え、前記第２の駆動ユニットは、前記空気入口と前記空気出口との間の空気圧の差を変化させることによって、前記ピストンの、したがって前記スクリューの動作を制御するよう構成される、請求項１ないし請求項６のいずれか１項に記載の成形アセンブリ。
【請求項８】
前記第２の駆動ユニットは、前記バレル内の前記圧力に関するフィードバックを追加的に受け取ることによって、前記スクリューの動きを制御するよう構成される、請求項１ないし請求項７のいずれか１項に記載の成形アセンブリ。
【請求項９】
前記成形アセンブリは回転可能に配置された充填機械内に中心が置かれ、前記成形アセンブリは、射出成形によって包装容器の少なくとも一部を成形するよう構成される、請求項１ないし請求項７のいずれか１項に記載の成形アセンブリ。
【請求項１０】
溶融した原材料をバレルから複数の対応する射出出口へと輸送するための複数の導管を備えた成形アセンブリであって、前記射出出口は、前記成形アセンブリの回転中に、前記溶融した原材料を対応する複数の型内に供給する、請求項３に記載の成形アセンブリ。
【請求項１１】
前記原材料は、ポリマー顆粒、金属顆粒、シリカまたは類似物のうちの一つである、請求項１ないし請求項３のいずれか１項に記載の成形アセンブリ。
【請求項１２】
成形アセンブリ内で製品を成形するための方法であって、
入口を通ってバレル内に原材料を供給するステップと、
前記バレル内のスクリューを回転させて、前記原材料を溶融／液状形態へと粉砕するステップと、
前記バレル内の前記原材料の液体圧力を測定するステップと、
前記バレル内の測定された液体圧力値を臨界しきい圧力値と比較するステップと、
前記臨界しきい圧力値に到達した場合に、前記スクリューを前記バレルから移動させかつ／または前記スクリューの回転速度を調整することによって、前記バレル内の圧力を調整するステップと、を備え、
前記スクリューが前記バレル内に回転可能に配置され、かつアキュムレーターチャンバー内に部分的に配置される、方法。
【請求項１３】
前記バレルからの前記スクリューの移動は圧力レギュレーターによる作用を受ける、請求項１２に記載の方法。
【請求項１４】
前記圧力レギュレーターは、前記アキュムレータチャンバーに流入する流体の量および前記アキュムレータチャンバーから出る流体の量を調節することによって、前記スクリューの動作に作用する、請求項１３に記載の方法。
【請求項１５】
前記スクリューの動作は、前記アキュムレータチャンバー内の圧力差に起因する前記アキュムレータチャンバー内のリニアガイドの動作によって作用を受け、前記リニアガイドは前記スクリューと機械的接続状態である、請求項１４に記載の方法。
【請求項１６】
前記バレル内の圧力の調整は、前記成形アセンブリの停止を知らせる例外信号が受信されたときに実行される、請求項１２ないし請求項１５のいずれか１項に記載の方法。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
構造物用複合材を作成するための方法であって、
（ａ）第１のキャリアを提供するステップと、
（ｂ）前記第１のキャリアの上に充填剤を分配するステップと、
（ｃ）前記充填剤の上に前記第１のキャリアと化学的に結合する結合剤を被着するステップと、
（ｄ）前記第１のキャリア、前記充填剤及び前記結合剤の上に布地である第２のキャリアを被着するステップと、
（ｅ）前記第１のキャリア、前記充填剤、前記結合剤及び前記第２のキャリアを加熱するステップと、
（ｆ）前記第１のキャリア、前記充填剤、前記結合剤及び前記第２のキャリアをともにプレスするステップであって、前記結合剤は液化して前記充填剤及び前記第２のキャリアに浸透し、かつ前記第１のキャリア、前記充填剤及び前記結合剤が冷却するにつれて前記結合剤は前記充填剤及び前記第２のキャリアと物理的に結合して補剛層を形成するステップと、
（ｇ）前記補剛層を強度を提供する形状に形成するステップと、
（ｈ）クロスヘッドダイを通じて前記補剛層の上にポリマーを押し出すステップであって、前記ポリマーは前記補剛層を被覆し、前記ポリマーは前記補剛層と化学的に結合し、かつ、前記クロスヘッドダイは前記ポリマーに対して前記補剛層を配置して前記ポリマーを強化するステップと、を含む、方法。
【請求項２】
前記結合剤は液体である、請求項１に記載の方法。
【請求項３】
前記結合剤は粒子である、請求項１に記載の方法。
【請求項４】
（ａ）前記補剛層を複数のストリップに切断するステップと、
（ｂ）前記ポリマーを押し出す前に前記複数のストリップを分離するステップと、を更に含む、請求項１に記載の方法。
【請求項５】
前記構造物用複合材は、中立軸を有し、
前記ストリップは、前記構造物用複合材の中立軸から離れて反対側に配置される、請求項４に記載の方法。
【請求項６】
前記充填剤は、繊維を含む、請求項１に記載の方法。
【請求項７】
前記充填剤は、合成繊維を含む、請求項１に記載の方法。
【請求項８】
前記充填剤は、鉱物を含む、請求項１に記載の方法。
【請求項９】
前記繊維は、無水石膏ウィスカである、請求項６に記載の方法。
【請求項１０】
前記ポリマーは、ポリ塩化ビニルである、請求項１に記載の方法。
【請求項１１】
前記第１のキャリア及び前記第２のキャリアの少なくとも一方は、ポリエチレンテレフタレートから作成される、請求項１に記載の方法。
【請求項１２】
前記第１のキャリア及び前記第２のキャリアの少なくとも一方は、高密度ポリエチレンから作成される、請求項１に記載の方法。
【請求項１３】
前記充填剤に接着剤を被着させる、請求項１に記載の方法。
【請求項１４】
構造物用複合材を作成するための方法であって、
（ａ）第１のキャリアを提供するステップと、
（ｂ）前記第１のキャリアの上に充填剤を分散するステップと、
（ｃ）前記第１のキャリアの上に結合剤を分散するステップと、
（ｄ）前記充填剤の上に前記第１のキャリアと化学的に結合する第２のキャリアを提供するステップと、
（ｅ）前記第１のキャリア、前記結合剤及び前記第２のキャリアを加熱して、前記第１のキャリア、前記結合剤及び前記第２のキャリアを液化するステップと、
（ｆ）前記第１のキャリア、前記充填剤、前記結合剤及び前記第２のキャリアをともにプレスするステップであって、前記第１のキャリア、前記結合剤及び前記第２のキャリアは前記充填剤に浸透し、前記第１のキャリア及び前記第２のキャリアが冷却するにつれて前記第１のキャリア、前記結合剤及び前記第２のキャリアは前記充填剤と物理的に結合して補剛層を形成するステップと、
（ｇ）クロスヘッドダイを通じて前記補剛層の上に前記ポリマーを押し出して前記ポリマーに対して前記補剛層を配置するステップであって、前記補剛層は前記ポリマーを強化し、前記ポリマーは前記補剛層と化学的に結合して、前記ストリップとの層間剥離に耐える構造物用複合体を形成するステップと、を含む、方法。
【請求項１５】
前記補剛層を変形させるステップを更に含む、請求項１４に記載の方法。
【請求項１６】
前記補剛層の少なくとも１つの側で前記補剛層を型打ちするステップを更に含む、請求項１４に記載の方法。
【請求項１７】
前記補剛層内に穴を形成するステップを更に含む、請求項１４に記載の方法。
【請求項１８】
前記補剛層は、押し出しの前に成形及び配置されて、前記ポリマーを構造物用複合体として強化する、請求項１４に記載の方法。
【手続補正２】
【補正対象書類名】明細書
【補正対象項目名】００３２
【補正方法】変更
【補正の内容】
【００３２】
充填剤１８が、キャリア１０上に分散される。充填剤１８は、人工および天然の繊維、有機物質、ならびに鉱物を含むことができる。繊維が充填剤１８として使用される場合、それらは、リサイクルされた短炭素繊維または炭素繊維リボン、廃棄繊維ガラス繊維、廃棄石膏由来の無水石膏繊維、木綿、絹および合成品を含む繊維製品廃棄物またはリサイクルされた布製品由来の繊維、廃木材、紙、厚紙または竹由来のセルロース繊維、金属ワイヤまたは他の金属繊維、または上記の任意の組み合わせであってもよい。ゼオライト、ポゾラン、および石炭燃焼から廃棄物であるフライアッシュのような鉱物も、充填剤として使用されてもよく、補剛層の特性を改変する他の物質が、製造工程を促進し、または、単純にかさを増す。ポリマーはポリ塩化ビニルであってもよい。